(57)【要約】【課題】型枠内の配筋状況にできるだけ影響されることなく、この型枠内の所望の箇所に導入可能なコンクリート打設用アタッチメントを提供する。【解決手段】生コンクリートＣの圧送ラインを構成する先端ホースＨのホース端末Ｈａに装着される管状のアタッチメントＡである。管一端Ａ’を前記ホース端末Ｈａへの接続部１とし、管他端Ａ”を生コンクリートＣの吐出部２とすると共に、接続部１の横断面形状を円形とし、且つ吐出部２側の横断面形状を扁平とするように両者の間において管形状が変えられている。接続部１の断面積に対し吐出部２側の断面積が略等しいかやや大きくなるようにしてある。吐出部２側を構成する幅広の面部３のそれぞれにその中程の位置に管軸方向に続いてこの吐出部２側を左右に分岐させるスリット５が形成されている。【選択図】図１
2012020532.tif 000002
【特許請求の範囲】
【請求項１】
生コンクリートの圧送ラインを構成する先端ホースのホース端末に装着される管状のアタッチメントであって、管一端を前記ホース端末への接続部とし、管他端を生コンクリートの吐出部とすると共に、接続部の横断面形状を円形とし、且つ吐出部側の横断面形状を扁平とするように両者の間において管形状が変えられており、さらに接続部の断面積に対し吐出部側の断面積が略等しいかやや大きくなるようにしてあると共に、吐出部側を構成する幅広の面部のそれぞれにその中程の位置に管軸方向に続いてこの吐出部側を左右に分岐させるスリットが形成されていることを特徴とするコンクリート打設用アタッチメント。
【発明の詳細な説明】
【技術分野】
【０００１】
この発明は、コンクリートポンプ工法において、その生コンクリートの圧送ラインのホース端末に装着されて用いられるアタッチメントに関する。
【背景技術】
【０００２】
コンクリートポンプ工法においては、通例、生コンクリートの圧送ラインの末端は先端ホースにより構成される。これを利用したコンクリートの打設は、型枠内にこの先端ホースを導入させてなされる。ここで打設時の生コンクリートの自由落下距離は５０ｃｍ以内であることが求められる。この自由落下距離が５０ｃｍ超であると、落下の過程で生コンクリートを構成する骨材とこれ以外の成分との分離が生じ、これにより生コンクリートの品質が変化してこの生コンクリートが固まったときに設計値通りの強度を実現できなくなるからである。しかるに、型枠内の配筋状況によっては、適切な前記自由落下距離を保てるように、前記先端ホースを型枠内に導入できない場合も少なくなかった。（橋脚の梁部などのように、太い径の鉄筋による配筋が求められ、さらに、高密度の配筋が求められる場合など）こうした場合、先端ホースを所定位置まで導入できるように一時的に配筋を変形させるなどの措置が現場においてとられるところであるが、こうした労力の軽減が求められるところであった。なお、生コンクリートの圧送ラインの末端の構造に関する技術として、特許文献１〜３に示されるものがあるが、いずれも上記のような問題点を解決するものとはなっていない。
【先行技術文献】
【特許文献】
【０００３】
【特許文献１】特公平３−４６６３８号公報
【特許文献２】特開平８−１８４０４５号公報
【特許文献３】特許第２９８０２４２号公報
【発明の概要】
【発明が解決しようとする課題】
【０００４】
この発明が解決しようとする主たる問題点は、型枠内の配筋状況にできるだけ影響されることなく、この型枠内の所望の箇所に導入可能なコンクリート打設用アタッチメントを提供する点にある。
【課題を解決するための手段】
【０００５】
前記課題を達成するために、この発明にあっては、コンクリート打設用アタッチメントを、生コンクリートの圧送ラインを構成する先端ホースのホース端末に装着される管状のアタッチメントであって、管一端を前記ホース端末への接続部とし、管他端を生コンクリートの吐出部とすると共に、接続部の横断面形状を円形とし、且つ吐出部側の横断面形状を扁平とするように両者の間において管形状が変えられており、さらに接続部の断面積に対し吐出部側の断面積が略等しいかやや大きくなるようにしてあると共に、吐出部側を構成する幅広の面部のそれぞれにその幅方向中程の位置に管軸方向に続いてこの吐出部側を左右に分岐させるスリットが形成されているものとした。
【０００６】
かかる構成によれば、第一に、配筋を構成する隣り合う鉄筋間の間隔が、生コンクリートの圧送ラインの末端となる先端ホースの外径よりも小さい場合であっても、アタッチメントの扁平な吐出部側はかかる鉄筋間に導入可能とすることができ、このような場合でも生コンクリートの自由落下距離を適正な範囲に保った状態での打設が可能となる。また、第二に、アタッチメントの断面積は接続部側と吐出部側とで略等しいか吐出部側がやや大きくなるように構成されていることから、アタッチメントを装着させた場合とさせない場合とで生コンクリートの圧送・吐出状況に変化を生じさせることがない。また、第三に、吐出部側をそのまま受け入れさせない高密度の配筋がなされている場合であっても、例えば、前記隣り合う鉄筋間にこれらに直交する鉄筋がさらに配されている場合であっても、前記スリットにこの直交する鉄筋を通すようにして、このような型枠の所望の位置までアタッチメントを導入することができる。
【発明の効果】
【０００７】
この発明にかかるコンクリート打設用アタッチメントによれば、型枠内の配筋状況にできるだけ影響されることなく、生コンクリートの自由落下距離を適正な範囲に保った状態で、コンクリートの打設をなすことができる。
【図面の簡単な説明】
【０００８】
【図１】図１はアタッチメントの斜視図である。
【図２】図２はアタッチメントを利用したコンクリートの打設状況を示した縦断面構成図である。
【図３】図３はアタッチメントの利用状態を示した横断面構成図である。
【発明を実施するための形態】
【０００９】
以下、図１〜図３に基づいて、この発明の典型的な実施の形態について、説明する。この実施の形態にかかるアタッチメントＡは、コンクリートポンプ工法において、その生コンクリートＣの圧送ラインのホース端末Ｈａに装着されて用いられる用いられるものである。かかる圧送ラインは、典型的には、図示しないコンクリートポンプ車のブームと、このブームに備えられる輸送管に連結される先端ホースＨとから構成される。あるいは、かかる圧送ラインは、ポンプに連結された図示しない配管と、この配管に連結される先端ホースＨとから構成される。かかるアタッチメントＡは、この先端ホースＨのホース端末Ｈａに必要に応じて装着されて用いられるものである。
【００１０】
かかるアタッチメントＡは、典型的には金属管を成形して構成されるものであり、管一端Ａ’及び管他端Ａ”を共に開放させた管状を呈する。かかるアタッチメントＡの管一端Ａ’は前記ホース端末Ｈａへの接続部１となり、管他端Ａ”は生コンクリートＣの吐出部２となる。
【００１１】
接続部１の横断面形状は、先端ホースＨと略同じ内外径を備えた円形に構成される。接続部１は、公知のジョイントＪにより、ホース端末Ｈａに接続される。これにより先端ホースＨのホース端末Ｈａを通じてアタッチメントＡ内に生コンクリートＣが送り込まれ吐出部２より外部に送り出されることとなる。
【００１２】
吐出部２側の横断面形状は扁平となっている。図示の例では、アタッチメントＡはその管一端Ａ’と管他端Ａ”との間の途中位置Ａａから、その横断面形状を扁平とするように成形され、吐出部２においては、その横断面形状を略長方形状としている。従って、途中位置近傍にはテーパー部Ａｂが形成され、また、この途中位置Ａａと吐出部２との間は一対の幅広の面部３、３と、一対の幅狭の面部４、４とを持った扁平の角筒状をなしている。なお、吐出部２側の横断面形状は、短軸方向と長軸方向とを持つ扁平形状であれば足り、例えば、楕円形状であっても構わない。
【００１３】
かかる接続部１の断面積に対し吐出部２側の断面積は略等しいか、この接続部１の断面積よりもやや大きくなるようにしてある。
【００１４】
また、吐出部２側を構成する幅広の面部３のそれぞれには、この幅広の面部３の幅方向中程の位置にアタッチメントＡの管軸方向に続いてこの吐出部２側を左右に分岐させるスリット５が形成されている。図示の例では、かかるスリット５は前記途中位置Ａａまでには至らない長さとなっている。
【００１５】
コンクリート型枠Ｆ内に配される配筋Ｂを構成する隣り合う鉄筋Ｂ’間の間隔が、生コンクリートＣの圧送ラインの末端となる先端ホースＨの外径よりも小さいが、アタッチメントＡの吐出部２側の一対の幅広の面部３、３間の距離と略同じか、これより大きい場合には、アタッチメントＡの扁平な吐出部２側はかかる隣り合う鉄筋Ｂ’、Ｂ’間に導入することができる。これにより、このような場合でも生コンクリートＣの自由落下距離を適正な範囲に保った状態での打設が可能となる。（図２）アタッチメントＡは前記途中位置Ａａから下方が型枠Ｆ内に導入され、コンクリートの打設が進行するに従って上方に持ち上げられる。
【００１６】
かかるアタッチメントＡの断面積は接続部１側と吐出部２側とで略等しいか吐出部２側がやや大きくなるように構成されていることから、アタッチメントＡを装着させた場合とさせない場合とで生コンクリートＣの圧送・吐出状況に変化を生じさせることはない。
【００１７】
前記吐出部２側をそのまま受け入れさせない高密度の配筋Ｂがなされている場合、例えば図３に示されるように、かかる配筋Ｂを構成する図３における横方向に延びて隣り合う鉄筋Ｂ’、Ｂ’間にこれらに直交する鉄筋Ｂ”がアタッチメントＡの吐出部２側の幅寸法内にさらに配されている場合には、前記スリット５にこの直交する鉄筋Ｂ’を通すことで、このような型枠Ｆの所望の位置まで、図示の例であれば図２に示される位置までアタッチメントＡを支障なく導入することができる。
【符号の説明】
【００１８】
Ａ  アタッチメント
Ａ’  管一端
Ａ”  管他端
Ｃ  生コンクリート
Ｈ  先端ホース
Ｈａ  ホース端末
１  接続部
２  吐出部
３  幅広の面部
５  スリット
【図１】
2012020532.tif 000003
【図２】
2012020532.tif 000004
【図３】
2012020532.tif 000005